(57)【要約】【課題】整流機構を取り外すことなくファンを着脱できるようにして、メンテナンス性を向上させるとともに、性能の向上を図る。【解決手段】天井埋込型室内機において、室内側に開口Ｘが形成された筐体１０と、開口Ｘを介して筐体１０内に着脱可能に設けられたファン３０と、ファン３０から吹き出された空気を熱交換する熱交換器５０と、ファン３０から吹き出された空気を整流して熱交換器５０又はファン３０に向かわせる整流機構７０とを具備し、ファン３０と整流機構７０とが開口Ｘ側から視て互いに重なり合わないように位置している。【選択図】図２
2016011827.tif 000002
【特許請求の範囲】
【請求項１】
天井に埋め込まれ、吸入口から室内の空気を吸入するとともに、吹出口から室内に空気を吹き出す天井埋込型室内機であって、
室内側に開口が形成された筐体と、
前記開口を介して前記筐体内に着脱可能に設けられ、回転軸に沿った方向から空気を吸い込むとともに、その空気を前記回転軸と略垂直な方向に吹き出すファンと、
前記回転軸と略垂直な方向に前記ファンから離間して設けられ、前記ファンから吹き出された空気を熱交換する熱交換器と、
前記ファンから吹き出された空気を整流して前記熱交換器又は前記ファンに向かわせる整流機構とを具備し、
前記ファンの着脱時において、前記ファンと前記整流機構とが前記開口側から視て互いに重なり合わないように位置していることを特徴とする天井埋込型室内機。
【請求項２】
前記整流機構が、前記開口側から視て、その内縁が前記ファンの回転軸を中心とした円形状をなすものであり、
前記ファンが、前記開口側から視て前記整流機構の前記内縁よりも内側に設けられていることを特徴とする請求項１記載の天井埋込型室内機。
【請求項３】
前記ファンの下方に設けられ、前記整流機構の内縁に連続して設けられたベルマウスをさらに具備し、
前記ベルマウスが、前記ファンに形成されたシュラウドに沿った形状をなし、前記ファンから吹き出された空気を整流して前記ファンに再流入させる整流部を有していることを特徴とする請求項１又は２記載の天井埋込型室内機。
【請求項４】
天井に埋め込まれ、吹出口から室内の空気を吹き出すとともに、吸入口から室内の空気を吸入する天井埋込型室内機であって、
前記吸入口から吸入した空気を回転軸に沿った方向から吸い込むとともに、その空気を前記回転軸と略垂直な方向に吹き出すファンと、
前記回転軸と垂直な方向に沿って前記ファンから離間して設けられ、当該ファンから吹き出された空気を熱交換する熱交換器と、
前記ファンが有するシュラウドの下方に設けられて、前記ファンから吹き出された空気の流れ方向を前記熱交換器に向かう主流方向と前記ファンに向かう再流入方向とに整流する整流機構とを具備し、
前記整流機構が、前記シュラウドに沿った整流面を有し、前記シュラウドと当該整流面との距離が、再流入方向に沿って一定の変化率で変化する又は一定の距離であることを特徴とする天井埋込型室内機。
【請求項５】
前記整流面が、前記シュラウドと当該整流面との距離が、再流入方向に沿って一定の変化率で増大する又は一定の距離であるように形成されていることを特徴とする請求項４記載の天井埋込型室内機。
【請求項６】
前記整流面が、前記変化率が１．０以上１．２以下になるように形成されていることを特徴とする請求項４又は５記載の天井埋込型室内機。
【請求項７】
前記熱交換器を支持するドレンパンをさらに具備し、
前記整流機構が、前記ドレンパンと一体に形成されていることを特徴とする請求項１乃至６のうち何れか一項に記載の天井埋込型室内機。
【請求項８】
請求項１乃至７のうち何れか一項に記載の天井埋込型室内機を有する空気調和機。
【発明の詳細な説明】
【技術分野】
【０００１】
本発明は、吸入口から室内の空気を吸入するとともに、吹出口から室内に空気を吹き出す天井埋込型室内機に関するものである。
【背景技術】
【０００２】
この種の天井埋込型室内機は、特許文献１に示すように、回転軸に沿った方向から空気を吸い込み、その空気を前記回転軸と略垂直な方向に吹き出すファンと、前記回転軸と垂直な方向にファンから離間して設けられ、当該ファンから吹き出された空気を熱交換する熱交換器とを備えている。なお、熱交換器の下側には、ドレンパンが設けられるとともに、当該ドレンパンの下側には、化粧パネルが設けられている。
【０００３】
具体的にこの天井埋込型室内機は、ファンの下方、より詳細には、ファンのシュラウドの下方に、整流機構として機能する衝立を設け、この衝立によりファンから吹き出された空気が再びファンに流れ込むことを防ぎ、ファンからの空気を整流して送風効率を向上させるように構成されている。
【０００４】
ところで、上述の天井埋込型室内機では、メンテナンス時にファンを取り出す場合、まず化粧パネルと衝立が設けられたドレンパンとを取り外した後に、ファンを取り外す必要がある。なお、衝立等の整流機構とドレンパンとが別体の場合には、ドレンパンを取り外し、整流機構を取り外した後にファンを取り外す必要があり、或いは、ドレンパンを取り外さない構成としても、整流機構を取り外した後にファンを取り外す必要がある。
【先行技術文献】
【特許文献】
【０００５】
【特許文献１】特開２０１３−１号公報
【発明の概要】
【発明が解決しようとする課題】
【０００６】
このような天井埋込型室内機において、本願発明者は、従来よりもファンの着脱を容易にすべく、ファン及びその周辺構造の位置関係を検討した。
本発明は、この検討の結果なされたものであり、整流機構を取り外すことなくファンを着脱できるようにして、メンテナンス性を向上させることを主たる課題とするものである。
【課題を解決するための手段】
【０００７】
すなわち本発明に係る天井埋込型室内機は、天井に埋め込まれ、吸入口から室内の空気を吸入するとともに、吹出口から室内に空気を吹き出す天井埋込型室内機であって、室内側に開口が形成された筐体と、前記開口を介して前記筐体内に着脱可能に設けられ、回転軸に沿った方向から空気を吸い込むとともに、その空気を前記回転軸と略垂直な方向に吹き出すファンと、前記回転軸と略垂直な方向に前記ファンから離間して設けられ、前記ファンから吹き出された空気を熱交換する熱交換器と、前記ファンから吹き出された空気を整流して前記熱交換器又は前記ファンに向かわせる整流機構とを具備し、前記ファンの着脱時において、前記ファンと前記整流機構とが前記開口側から視て互いに重なり合わないように位置していることを特徴とするものである。
【０００８】
このような天井埋込型室内機であれば、ファンの着脱時において、ファンと整流機構とが開口側から視て互いに重なり合わないように位置しているので、ファンの着脱時に整流機構を取り外すことなく作業することができ、メンテナンス性を向上させることができる。そのうえ、整流機構によってファンからの吹き出された空気を整流して騒音や振動を抑制するとともに、ファンの送風効率を向上させることができる。
より具体的には、少なくともファンの着脱時において、前記ファンと、前記整流機構及び前記熱交換器の下側に設けられたドレンパンとが、前記開口側から視て互いに重なり合わないように位置している。
【０００９】
前記整流機構が、前記開口側から視て、その内縁が前記ファンの回転軸を中心とした円形状をなすものであり、前記ファンが、前記開口側から視て前記整流機構の前記内縁よりも内側に設けられていることを特徴とするものが好ましい。
これならば、ファンの着脱時に、ファンと整流機構とが干渉しにくくすることができ、ファンを容易に着脱することができ、メンテナンス性をより向上させることができる。
【００１０】
前記ファンの下方に設けられ、前記整流機構の内縁に連続して設けられたベルマウスをさらに具備し、前記ベルマウスが、前記ファンに形成されたシュラウドに沿った形状をなし、前記ファンから吹き出された空気を整流して前記ファンに再流入させる整流面を有しているものが好ましい。
これならば、ファンから吹き出された空気が再びファンに流れる際に、ファンの下方で生じうる空気の滞留を抑制することができ、室内機全体としての送風効率をより向上させることができる。
【００１１】
また、以下に述べるような課題もある。
いわゆる天井埋込型室内機は、吸入口から吸入した空気を回転軸に沿った方向から吸い込むとともに、その空気を前記回転軸と略垂直な方向に吹き出すファンと、前記回転軸と垂直な方向に沿ってファンから離間して設けられ、当該ファンから吹き出された空気を熱交換する熱交換器とを具備するものがある。
【００１２】
上述した構成では、ファンから吹き出された空気の大半は熱交換器に向かって流れて吹出口から室内に吹き出されるが、その一部は、ファンが有するシュラウドの下方から再びファンに流入する。このように、空気がファンに再流入すると、その際に、シュラウドの下方で空気の滞留が生じてしまい、ファンの送風効率が低下して消費電力が増大するという問題や、空気がファンに滑らかに流れずに騒音等が発生するという問題が生じる。
【００１３】
そこで、特許文献２に示すように、シュラウドの下方についたてを設け、ファンから吹き出された空気がファンに再流入することを抑制するような構成が考えられている。
【００１４】
【特許文献２】特開２００８−２８６３２５号公報
【００１５】
ところが、上述した構成では、実際には、空気がファンに再流入することをほとんど抑制するができず、上述した問題を解決することができない。
【００１６】
そこで、本発明は、ファンから吹き出された空気が滞留することを確実に防ぎ、ファンの送風効率を向上させて消費電力を軽減するとともに、騒音等の発生を確実に抑制することを主たる課題とするものである。
【００１７】
すなわち本発明に係る天井埋込型室内機は、天井に埋め込まれ、吸入口から室内の空気を吸入するとともに、吹出口から室内に空気を吹き出す天井埋込型室内機であって、前記吸入口から吸入した空気を回転軸に沿った方向から吸い込むとともに、その空気を前記回転軸と略垂直な方向に吹き出すファンと、前記回転軸と垂直な方向に沿って前記ファンから離間して設けられ、当該ファンから吹き出された空気を熱交換する熱交換器と、前記ファンが有するシュラウドの下方に設けられて、前記ファンから吹き出された空気の流れ方向を前記熱交換器に向かう主流方向と前記ファンに向かう再流入方向とに整流する整流機構とを具備し、前記整流機構が、前記シュラウドに沿った整流面を有し、前記シュラウドと当該整流面との距離が、再流入方向に沿って一定の変化率で変化する又は一定の距離であることを特徴とするものである。
【００１８】
このような天井埋込型室内機であれば、シュラウドと整流面との距離が、再流入方向に沿って一定の変化率で増大する又は一定の距離であるので、ファンから吹き出された空気がシュラウドの下方で滞留することを防ぐことができ、ファンの送風効率を向上させて消費電力を軽減するとともに、騒音等の発生を確実に抑制することができる。
具体的な実験データについては、後述する。
【００１９】
具体的実施態様としては、前記整流面が、前記シュラウドと当該整流面との距離が、再流入方向に沿って一定の変化率で増大する又は一定の距離であるように形成されているものが好ましい。
【００２０】
前記熱交換器を支持するドレンパンをさらに具備し、前記整流機構が、前記ドレンパンと一体に形成されているものが好ましい。
これならば、部品点数が増加することなく、ファンから吹き出された空気を整流することができ、騒音や振動等を抑制するとともに、送風効率を向上させることができる。
【００２１】
また、本発明の空気調和機は、上記各構成の天井埋込型室内機を有することを特徴とするものである。
このように構成された空気調和機によれば、上述した作用効果を発揮することができる。
【発明の効果】
【００２２】
このように構成した本発明によれば、ファンから吹き出された空気を整流して騒音や振動等を抑制し、送風効率を向上させることができ、さらに、メンテナンス性を向上させることができる。
また、本発明によれば、空気を整流面に沿って流すことができるのでファンから吹き出された空気が滞留することを確実に防ぎ、かつ、ファンへの再流入する量を低減できるのでファンの送風効率を向上させて消費電力を軽減するとともに、騒音等の発生を確実に抑制することができる。
【図面の簡単な説明】
【００２３】
【図１】本発明の第１実施形態における天井埋込型室内機を模式的に示す斜視図。
【図２】第１実施形態における天井埋込型室内機を模式的に示す断面図。
【図３】第１実施形態における天井埋込型室内機の変形例を模式的に示す断面図。
【図４】第１実施形態における天井埋込型室内機の変形例を模式的に示す断面図。
【図５】第２実施形態における天井埋込型室内機を模式的に示す斜視図。
【図６】第２実施形態における天井埋込型室内機を模式的に示す断面図。
【図７】第２実施形態における整流機構の拡大断面図。
【図８】現行の天井埋込型室内機と改善後の天井埋込型室内機とを比較する模式図。
【図９】第２実施形態における天井埋込型室内機の効果を示すシミュレーション結果。
【図１０】第２実施形態における天井埋込型室内機の効果を示すグラフ。
【図１１】第２実施形態における天井埋込型室内機の効果を示すグラフ。
【図１２】第２実施形態における天井埋込型室内機の変形例を模式的に示す斜視図。
【図１３】第２実施形態における天井埋込型室内機の変形例を模式的に示す断面図。
【発明を実施するための形態】
【００２４】
＜第１実施形態＞
以下に本発明に係る天井埋込型室内機の第１実施形態について図面を参照して説明する。なお、第１実施形態における参照符号は、図１〜図４においてのみ使用する参照符号である。
【００２５】
本実施形態に係る天井埋込型室内機１００は、例えば空気調和機に用いられるものであり、天井に形成された図示しない凹部に埋め込まれて、室内の空気を吸入するとともに、その空気を熱交換して、所望温度の空気を室内に吹き出すものである。
【００２６】
具体的にこの天井埋込型室内機１００は、図１及び図２に示すように、筐体１０と、化粧パネル２０と、ファン３０と、ベルマウス４０と、熱交換器５０と、ドレンパン６０と、整流機構７０とを具備するものである。
【００２７】
以下各部１０〜７０について説明する。
筐体１０は、天井に形成された前記凹部に埋め込まれるものであり、具体的には図２に示すように、天板１１と、この天板１１を囲う側板１２とを具備し、天井に埋め込まれた状態で室内側に開口した略直方体形状をなすものである。
【００２８】
化粧パネル２０は、筐体１０の開口Ｘを覆うものであり、具体的には筐体１０の側板１２の下端に着脱可能に設けられた平面視略矩形形状をなすものである。
より詳細にこの化粧パネル２０は、図１及び図２に示すように、筐体１０の開口Ｘと連通する吸入口２Ａ及び複数の吹出口２Ｂを有している。
本実施形態の吸入口２Ａは、化粧パネル２０の中央に厚み方向に貫通して形成された略長方形形状をなすものであり、本実施形態の各吹出口２Ｂは、化粧パネル２０の各辺に沿って厚み方向に貫通して形成された略長方形状をなすものである。
【００２９】
ファン３０は、吸入口２Ａを介して室内の空気を吸い込むととともに、その空気を吹出口２Ｂを介して室内に吹き出すものであり、本実施形態では、室内の空気を回転軸Ｃに沿って下方から上方に吸い込むととともに、その空気を前記回転軸Ｃと略垂直な方向に沿って吹き出すように構成されている。
具体的にこのファン３０は、図１及び図２に示すように、筐体１０内に設けられており、回転軸Ｃを中心に回転する複数の翼３１と、吸込み口３２１を有するシュラウド３２とを具備するものである。なお、この吸込み口３２１は、上述した吸入口２Ａの上方に位置する。
より詳細にこのファン３０は、筐体１０の開口Ｘを介して筐体１０内に着脱可能に設けられており、このファン３０の着脱は上述した化粧パネル２０から、吸入口２Ａを形成する図示しない吸入口部品を取り外した状態で行われる。
【００３０】
シュラウド３２は、ファン３０から吹き出された空気の一部が再びファン３０に吸入される際に、その空気を当該シュラウド３２の下方に滞留させることなく吸込み口３２１に滑らかに流すためのものである。具体的には、図２に示すように、下方から上方に向かって徐々に開口径が大きくなるように形成された回転体形状をなすものであり、回転軸Ｃに沿った断面が略円弧状をなす側周面３２２を有している。
なお、本実施形態の側周面３２２は、回転軸Ｃに沿った断面が略１／４楕円形状をなすものである。
【００３１】
ベルマウス４０は、室内の空気をファン３０へ効率良く導くためのものであり、ファン３０と吸入口２Ａとの間に設けられている。具体的にこのベルマウス４０は、図２に示すように、下方から上方に向かって徐々に開口径が小さくなりながらファン３０の吸込み口３２１に向けて立ち上がった形状をなすものであり、上部開口４１が、ファン３０の吸込み口３２１の上方に位置し、当該ベルマウス４０の上端部がファン３０の内側に位置するように配置されている。
なお、本実施形態のベルマウス４０は、図示しない接続部材を介して後述するドレンパン６０に着脱可能に取り付けられている。
【００３２】
熱交換器５０は、ファン３０から吹き出された空気を熱交換するものであり、筐体１０内において、ファン３０の回転軸Ｃに略垂直な方向にファン３０から離間して設けられている。
具体的にこの熱交換器５０は、図１に示すように、ファン３０を囲うように設けられており、本実施形態では、上方から視て略正方形状をなすものである。
【００３３】
ドレンパン６０は、熱交換器５０の下側に設けられ、空気が熱交換器５０により熱交換される際に当該空気中の水分が凝結して発生した凝縮水を受けるものである。
具体的にこのドレンパン６０は、図１及び図２に示すように、ファン３０の周囲において熱交換器５０に沿って設けられ、熱交換器５０の下端部を収容している。
【００３４】
整流機構７０は、ファン３０から吹き出された空気を整流して熱交換器５０に向かわせるとともに、ファン３０から吹き出された空気が再びファン３０に吸入されることを抑制するものであり、本実施形態ではドレンパン６０と一体に成型されている。
具体的にこの整流機構７０は、図１及び図２に示すように、熱交換器５０とファン３０との間においてファン３０を取り囲むように設けられ、上方に突出した形状をなすものである。
より詳細にこの整流機構７０は、図２に示すように、熱交換器５０の下端部からファン３０に向かって斜め上方に湾曲した湾曲部７１と、湾曲部７１から下方に延びて、当該湾曲部７１とベルマウス４０とを接続する接続部７２とを有している。本実施形態では、回転軸Ｃに沿った断面が略１／４楕円形状をなすものである。
【００３５】
湾曲部７１は、ファン３０から吹き出された空気の一部を熱交換器５０へ流すものである。具体的には、湾曲部７１の外周面７１１が、ファン３０から吹き出された空気の一部を熱交換器５０へ流す整流面となる。本実施形態の湾曲部７１は、シュラウド３２の上端の外側近傍から熱交換器５０の下端部に亘って形成されている。
【００３６】
接続部７２は、回転体形状をなすものであり、本実施形態では略円筒形状をなすものである。この接続部７２は、上端部が湾曲部７１の内側端部に接続され、下端部がベルマウス４０の下端外周部に接続されている。
【００３７】
そして、本実施形態の整流機構７０は、少なくともファン３０の着脱時において、筐体１０の開口Ｘ側から視て（本実施形態では、下方から視て）ファン３０と重なり合わないように位置に設けられている。
【００３８】
具体的にこの整流機構７０は、整流機構７０を下方から視た内縁よりも内側にファン３０の外縁が位置するように構成されている。
ここで、整流機構７０の下方から視た内縁は、整流機構７０の最も内側の部分をたどった輪郭であり、本実施形態では、接続部７２の内周面７２１により構成される。つまり、整流機構７０の下方から視た内縁は、ファン３０の回転軸Ｃを中心とした円形状をなす。
また、ファン３０の下方から視た外縁は、ファン３０の回転領域の外縁であり、本実施形態では、ファン３０に形成されたシュラウド３２の側周面３２２の上端により形成される回転軌道により構成される。
【００３９】
より詳細には、整流機構７０の内縁の径寸法Ｌｉ（本実施形態では、接続部７２の内周面７２１の径寸法）は、ファン３０の径寸法（回転直径）Ｌｏ（本実施形態では、シュラウド３２の上端の回転直径）よりも大きく形成されている。これにより、ファン３０の回転位置に関係なく、整流機構７０の内側、つまり、接続部７２の内周面７２１の内側を、ファン３０が通過可能となる。
【００４０】
また、ファン３０は、整流機構７０の他に、熱交換器５０の下側に設けられたドレンパン６０とも、開口側から視て互いに重なり合わないように位置している。本実施形態では、ドレンパン６０の径方向内側、つまり、ファン３０側に整流機構７０が一体に設けられているため、ファン３０が整流機構７０と重なり合わないように構成されていることによって、当然に、ファン３０がドレンパン６０と重なり合わない構成とされている。
【００４１】
このように構成された本実施形態に係る天井埋込型室内機１００によれば、ファン３０と整流機構７０とが下方から視て互いに重なり合わないように位置しているので、ファン３０の着脱時に整流機構７０を取り外すことなく作業することができ、メンテナンス性を向上させることができる。具体的には、上述したように、化粧パネル２０から図示しない吸入口部品を取り外すとともに、筐体１０内からベルマウス４０を取り外した状態で、ドレンパン６０及び整流機構７０を取り外すことなく、ファン３０にアクセスして、ファン３０のみを取り外すことができる。
【００４２】
また、ファン３０の回転位置に関係なく、整流機構７０の内側を、ファン３０が通過可能となるように構成されているので、ファン３０と整流機構７０とが干渉しにくくすることができ、メンテナンス性をより一層向上させることができる。
【００４３】
さらに、整流機構７０が、ドレンパン６０と一体に成型されているので、部品点数を増やすことなく、ファン３０から吹き出された空気を整流して騒音や振動等を抑制するとともに、ファン３０の送風効率を向上させることができる。
【００４４】
その上、整流機構７０が、ベルマウス４０の下端外周部から上方に延びる接続部７２を有するので、ファン３０から吹き出された空気が再びファン３０に吸入される流れを抑制することができる。これにより、ファン３０の下方で生じる空気の滞留を低減することができ、ファン３０の送風効率を向上させることができる。
【００４５】
＜変形例＞
なお、本発明は前記実施形態に限られるものではない。
【００４６】
例えば、前記実施形態では、整流機構７０がドレンパン６０と一体に成型されていたが、図３に示すように、整流機構７０をドレンパン６０と別体に形成しても良い。
このように構成することにより、部品点数は増すものの、前記実施形態と同様にメンテナンス性を向上させることができ、さらに、整流機構７０の形状が複雑になりにくくなり、整流機構７０を種々の形状に設計する点では有利である。
【００４７】
また、図４に示すように、ベルマウス４０の一部にファン３０から吹き出された空気を整流する機能を備えさせても良い。
具体的にこのベルマウス４０は、シュラウド３２の側周面３２２に沿って形成された整流部４２を有しており、この整流部４２と整流機構７０の湾曲部７１とが連続して形成されている。
この構成により、ファン３０から吹き出された空気の一部であって、再びファン３０に吸入される空気の流れを滑らかにすることができ、ファン３０の下方に生じる空気の滞留をより低減することができ、ファン３０の送風効率をより向上させて消費電力をより軽減するとともに、騒音や振動等をより確実に抑制することができる。
【００４８】
さらに、前記実施形態の接続部は略円筒形状をなすものであったが、例えば切頭円錐形状をなすものであっても良いし、湾曲面を有する形状であってもよい。
接続部が上述した形状をなす場合は、筐体の開口側から視て、接続部の内縁がファンの外縁よりも外側に形成されていればよい。
【００４９】
そのうえ、前記実施形態では、整流面の回転軸に沿った断面が略１／４楕円形状であったが、整流面の形状は、ファンに形成されたシュラウドの形状等に応じて適宜変更して構わない。
【００５０】
＜第２実施形態＞
以下に本発明に係る天井埋込型室内機の第２実施形態について図面を参照して説明する。なお、第１実施形態における参照符号は、図５〜図１３においてのみ使用する参照符号である。
【００５１】
本実施形態に係る天井埋込型室内機１００は、例えば空気調和機に用いられるものであり、天井に埋め込まれて、吸入口２Ａから室内の空気を吸入するとともに、吹出口２Ｂから室内に空気を吹き出すように構成されている。
【００５２】
具体的にこの天井埋込型室内機１００は、図５及び図６に示すように、筐体１０と、化粧パネル２０と、ファン３０と、ベルマウス４０と、熱交換器５０と、ドレンパン６０と、整流機構７０とを具備するものである。
【００５３】
筐体１０は、天井に形成された図示しない凹部に埋め込まれるものであり、下向きに開口した略直方体形状をなし、天板１１と、この天板１１を囲う側板１２とを具備するものである。
【００５４】
化粧パネル２０は、平面視略矩形形状をなすものであり、前記側板１２の下端に取り付けられて、筐体１０の開口を覆うように構成されている。
より詳細には、この化粧パネル２０は、各辺に沿って厚み方向に貫通して形成された略長方形状をなす複数の吹出口２Ｂと、当該化粧パネル２０の中央に厚み方向に貫通して形成された略長方形状をなす吸入口２Ａとを有している。
【００５５】
ファン３０は、図６に示すように、回転軸Ｃを中心として円形に開口する吸込み口３１１を有するシュラウド３１と、前記吸込み口３１１の周方向に沿って設けられた図示しない複数の翼とを備えるものである。
より詳細には、このファン３０は、図示しないモータに接続されて、前記吸込み口３１１が下方に向いた状態で筐体１０内に配置されている。より具体的にこのファン３０は、筐体１０内の中央に配置されており、前記吸込み口３１１の下方に位置する吸入口２Ａを介して、室内の空気を回転軸Ｃに沿って下方から上方に吸い込むととともに、その空気を前記回転軸Ｃと略垂直な方向に沿って吹き出すように構成されている。
【００５６】
前記シュラウド３１は、曲面を回転させた回転体形状をなし、下部開口３１１（吸込み口）から上部開口に向かって外径が徐々に大きくなるように形成されている。より詳細には、このシュラウド３１は、回転軸Ｃに沿った断面が略円弧状をなす側周面３１３を有しており、本実施形態では、この側周面３１３は、回転軸Ｃに沿った断面が略１／４楕円形状をなしている。
【００５７】
ベルマウス４０は、室内の空気をファン３０へ効率良く導入するためのものであり、ファン３０と吸入口２Ａとの間に設けられている。より具体的にこのベルマウス４０は、下方から上方に向かって徐々に開口径を小さくしながらファン３０の吸込み口３１１に向けて立ち上がった形状をなすものであり、上部開口３１２が、ファン３０の吸込み口３１１に対向するとともに近接して配置されている。
なお、本実施形態のベルマウス４０は、図示しない接続部材を介して後述するドレンパン６０に取り付けられている。
【００５８】
熱交換器５０は、筐体１０内において、ファン３０の回転軸Ｃ方向に略垂直な方向に沿って当該ファン３０から離間して設けられており、ファン３０から吹き出された空気を熱交換するものである。
本実施形態の熱交換器５０は、ファン３０を囲うように上方から視て略正方形状をなしており、具体的には、図５に示すように、第１辺部５１と、第１辺部５１に対向して当該第１辺部５１より短い第２辺部５２と、第１辺部５１及び第２辺部５２に直交して第１辺部５１に接続された第３辺部５３及び第４辺部５４と、第２辺部５２と第３辺部５３とを接続する斜辺部５５とを有するものである。
なお、これらの各辺部５１〜５５は一体に形成されている。
【００５９】
ドレンパン６０は、熱交換器５０の下方に設けられ、空気が熱交換器５０により熱交換される際に当該空気中の水分が凝結して発生した凝縮水を受けるものである。
より詳細には、このドレンパン６０は、熱交換器５０を構成する各辺部５１〜５５の下端部に沿って延設されており、当該各辺部５１〜５５の下端部が嵌り込んで熱交換器５０から生じる水を収容する収容溝Ｍを有するものである。
【００６０】
具体的にこのドレンパン６０は、図６及び図７に示すように、熱交換器５０を支持する底壁部６１と、底壁部６１から内側上方に傾いて設けられた内壁部６２と、熱交換器５０の外側に設けられ当該熱交換器５０に沿って起立した外壁部６３とを有するものである。
なお、本実施形態のドレンパン６０は、図示しない接続部材を介して筐体１０の側板１２に取り付けられており、前記各壁部は一体に形成されている。
【００６１】
整流機構７０は、図６及び図７に示すように、ファン３０が有するシュラウド３１の下方に設けられて、ファン３０から吹き出された空気の流れ方向を熱交換器５０に向かう主流方向Ｌ１とファン３０に向かう再流入方向Ｌ２とに整流するものである。また、シュラウド３１とドレンパン６０との間の距離が小さくなるので、図８に示すように、本実施形態の天井埋込室内機１００は、現行の天井埋込型室内機に比べて再流入方向Ｌ２への流れの割合を減らすことができる。
【００６２】
より詳細には、整流機構７０は、ベルマウス４０の下端部４１からドレンパン６０の内壁部６２に亘って設けられ、上方に突出した形状をなすものである。本実施形態の整流機構７０は、ベルマウス４０の下端部４１の上面４１１とドレンパン６０の内壁部６２の上方端面６２１とに跨って設けられ、回転軸Ｃに沿った断面が略半楕円形状をなすように構成されている。
【００６３】
そして、本実施形態では、この整流機構７０は、特に図７に示すように、シュラウド３１の側周面３１３に沿った整流面７２を有し、前記側周面３１３と前記整流面７２との距離が、ファン３０から吹き出された空気が再びファン３０の吸込み口３１１に向かって流れる方向（再流入方向Ｌ２）に沿って一定の変化率で増大する又は一定の距離になるように構成されている。
【００６４】
ここで、シュラウド３１の側周面３１３と整流面７２との距離とは、ファン３０から吹き出した空気が再びファン３０に向かって流れる方向（再流入方向Ｌ２）と垂直な方向に沿って、前記側周面３１３と前記整流面７２とが離間している距離である。
より具体的にこの距離は、図７に示すように、回転軸Ｃに沿った断面において、前記側周面３１３上の点から、この点と整流機構７０の中心Ｏとを結ぶ直線が整流面７２と交わる交点までの距離である。
つまり、この距離の最短は、シュラウド３１の上端位置Ｘと整流面７２の整流上端位置Ｘ’とを結ぶ距離であり、そこから一定の変化率で変化して、最長はシュラウド３１の下端位置Ｙと整流面７２の整流下端位置Ｙ’とを結ぶ距離になる。
【００６５】
また、上述の再流入方向Ｌ２を言い換えると、ファン３０から吹き出されて再びファンに流れる空気は、シュラウド３１の側周面３１３に沿って流れるので、前記再流入方向Ｌ２は、シュラウド３１の上端位置Ｘから下端位置Ｙに向かう方向となる。つまり、前記側周面３１３と前記整流面７２との距離は、シュラウド３１の上端位置Ｘから下端位置Ｙに向かって一定の変化率で増大する又は一定の距離になっている。
【００６６】
上述した整流面７２について詳述すると、この整流面７２は、図７に示すように、整流機構７０の外周面７１のうち少なくともシュラウド３１の側周面３１３に対向した部分からなり、本実施形態では、図７に示すように、回転軸Ｃに沿った断面において、シュラウド３１の上端位置Ｘに対応する整流機構７０の整流上端位置Ｘ’とシュラウド３１の下端位置Ｙに対応する整流機構７０の整流下端位置Ｙ’との間に形成されている。
なお、前記整流上端位置Ｘ’は、上端位置Ｘと整流機構７０の中心Ｏとを結ぶ直線が整流機構７０の外周面７１と交わる交点であり、前記整流下端位置Ｙ’は、下端位置Ｙと整流機構７０の中心Ｏとを結ぶ直線が整流機構７０の外周面７１と交わる交点である。
【００６７】
ここで、整流機構７０をより具体的に説明するために、図７に示すように、ドレンパン６０の内壁部６２の上方端面６２１からシュラウド３１の上端位置Ｘまでの高さをＨ、シュラウド３１の上端位置Ｘでの開口径をＲとする。また、内壁部６２の上方端面６２１から整機構の頂点Ｐまでの高さをＨｄ、シュラウドの下端位置Ｙから整流機構７０の頂点Ｐまでの水平距離をＲｄとする。
【００６８】
このとき、本実施形態の整流機構７０は、その頂点Ｐが、Ｈｄ≦Ｈかつ０．９Ｒ≦Ｒｄ≦１．４Ｒで定められる領域に位置するように形成されている。
【００６９】
上述の構成により、本実施形態では、シュラウド３１の側周面３１３と整流機構７０の整流面７２との距離が、シュラウド３１の上端位置Ｘから下端位置Ｙに向かう方向に沿って１．０以上１．２以下の一定の変化率で増大する又は一定になる。なお、本実施形態では、この変化率が１．２になるように、前記整流面７２が形成されている。
【００７０】
次に、本実施形態（今回）の天井埋込型室内機１００と従来の天井埋込型室内機との空気の流れを比較したシミュレーションした結果を図９に示す。また、従来と今回との室内機の消費電力を比較した結果を図１０に示し、騒音を比較した結果を図１１に示す。
【００７１】
図９に示すように、整流機構７０を設けていない従来の天井埋込型室内機（上段）のシミュレーション結果では、空気の滞留が生じているのに対して、整流機構７０を設けた本実施形態の天井埋込型室内機１００（下段）のシミュレーション結果では、空気の滞留が生じていないことが分かる。
【００７２】
また、図１０及び図１１から分かるように、整流機構７０を設けることにより、消費電力が従来に比べて５〜１５％軽減され、同一風量時の騒音が約１．０ｄＢＡ改善されていることが分かる。
【００７３】
このように構成された本実施形態に係る天井埋込型室内機１００によれば、シュラウド３１と整流面７２との距離が、再流入方向Ｌ２に沿って一定の変化率で増大するので、空気がシュラウド３１の下方で滞留することを防ぐことができ、ファン３０の送風効率を向上させて消費電力を軽減するとともに、騒音等の発生を確実に抑制することができる。
【００７４】
また、整流機構７０の回転軸Ｃに沿った断面が略半楕円形状をなすので、ファン３０から吹き出された空気が熱交換器５０に向かう主流方向Ｌ１においても、滞留することなく効率よく送風される。
【００７５】
＜変形例＞
なお、本発明は前記実施形態に限られるものではない。
【００７６】
例えば、前記実施形態では、整流機構が、ベルマウスの下端部からドレンパンの内壁部に亘って設けられていたが、必ずしもドレンパンの内壁部まで設けられている必要はなく、例えば、図１２に示すように、整流機構７０は、上方から視て円環形状をなすように構成されていても良い。
【００７７】
また、図１２に示すように、整流機構７０の外周面７１が、周方向に沿って形成された複数の整流溝７０ａを有していても良い。
具体的にこの整流溝７０ａは、ファン３０から吹き出された空気の流れ方向に沿って湾曲した形状をなしている。
この構成により、より確実に空気の滞留を防ぐことができ、ファン３０の送風効率をより向上させて消費電力をより軽減するとともに、騒音をより確実に抑制することができる。
【００７８】
また、図１３に示すように、整流機構７０を、ベルマウス４０及びドレンパン６０と一体に形成しても良い。
この構成により、部品点数を減らして、製造費の削減や軽量化を図ることができるうえ、空気の流れをより滑らかにすることにより、ファン３０の送風効率を更に向上させることが可能になる。
【００７９】
さらに、前記実施形態では、整流機構の回転軸に沿った断面が略半楕円形状であったが、整流機構の形状は、ファンに形成されたシュラウドの形状に沿わせて、適宜変更して構わない。
【００８０】
その他、本発明は前記実施形態に限られず、その趣旨を逸脱しない範囲で種々の変形が可能であるのは言うまでもない。
【符号の説明】
【００８１】
１００・・・天井埋込型室内機
１０・・・筐体
Ｘ・・・開口
３０・・・ファン
３２・・・シュラウド
４０・・・ベルマウス
５０・・・熱交換器
６０・・・ドレンパン
７０・・・整流機構
７１・・・湾曲部
７１１・・・外周面（整流面）
７２・・・接続部
７２１・・・内周面
Ｃ  ・・・回転軸
【図１】
2016011827.tif 000003
【図２】
2016011827.tif 000004
【図３】
2016011827.tif 000005
【図４】
2016011827.tif 000006
【図５】
2016011827.tif 000007
【図６】
2016011827.tif 000008
【図７】
2016011827.tif 000009
【図８】
2016011827.tif 000010
【図９】
2016011827.tif 000011
【図１０】
2016011827.tif 000012
【図１１】
2016011827.tif 000013
【図１２】
2016011827.tif 000014
【図１３】
2016011827.tif 000015